(57)【特許請求の範囲】
【請求項１】
機器本体に形成された開口部にドアパネルを取り付けるドアパネル取り付け構造において、
前記機器本体に、前記ドアパネルの挿入方向と直交する方向に開口する穴部を設け、
前記ドアパネルに、該ドアパネルの挿入時において前記機器本体と係合する角部と、該角部の形成位置から偏倚した位置から前記ドアパネルの挿入時における挿入方向に向け延出するよう形成されると共に前記角部と前記機器本体との係合位置を回動中心として前記ドアパネルを前記機器本体に対して回動することにより前記穴部内に進入して該機器本体と着脱可能に係合する係合爪部と、前記ドアパネルを前記機器本体に対して回動する際に前記機器本体と係合して前記回動をガイドする湾曲部とよりなる取り付け部を設け、
前記取り付け部を前記ドアパネルの縁部の両側部に設けると共に、前記ドアパネルの他の縁部に前記機器本体に係合する係合部を設け、
前記穴部を、前記機器本体の垂直壁部の端部である垂直壁端部と水平壁部の端部である水平壁端部との間に形成し、
前記ドアパネルの前記角部と前記垂直壁端部とを係合させ、前記ドアパネルが該係合位置を中心として回動することにより、前記係合部が前記機器本体と係合すると共に前記係合爪部の延出方向と前記穴部の開口方向が一致し、前記係合爪部が前記垂直壁端部及び前記水平壁端部と係合する構成としたこと
を特徴とするドアパネル取り付け構造。
【請求項２】
請求項１記載のドアパネル取り付け構造を備えた電子機器。
【発明の詳細な説明】
【技術分野】
【０００１】
本発明はドアパネル取り付け構造及び電子機器に係り、特に電子機器等の機器本体にドアパネルを取り付けるドアパネル取り付け構造及び電子機器に関する。
【背景技術】
【０００２】
例えば、電子機器を構成する機器本体のフロントパネルには、電子機器を操作するための各種スイッチや表示装置が配設される。また、通常は使用しないスイッチや記録メディアの挿入脱部等はフロントパネルに一段窪んだ開口部を形成し、この開口部内に配設することが行われている。また、不使用時においてこの開口部内が外部から見えないようにするため、一般にこの開口部にドアパネルを取り付けることが行われている。
【０００３】
従来、このドアパネルを機器本体に取り付ける構造としては、例えば特許文献１に示されるように、ドアパネルまたは機器本体のいずれか一方に軸受を設け、他方にこの軸受に軸承される軸部を設ける構造が一般的である。軸部を軸受部に装着することにより、
ドアパネルは軸部を中心として機器本体に対して回動可能な構成となる。
【特許文献１】特開平１１−１７７２５７号公報
【発明の開示】
【発明が解決しようとする課題】
【０００４】
しかしながら、従来のドアパネル取り付け構造では、閉蓋されたドアパネルに力（使用者による不意な力等）が印加された場合、この力は全て軸部と軸受との係合部分に集中的に印加される。また、従来のドアパネル取り付け構造では軸部と軸受が強く係合しており、強い外力が印加された場合には軸部或いは軸受が破損しないよう構造を複雑化させている。具体的には、軸部と軸受との係合部から離間した位置に、ドアパネルを機器本体に係合させる補強用部材（補強用レバーや補強用爪）を設けたものも提案されている。しかしながらこの構成では、ドアパネル取り付け構造が複雑化してしまい、作製が面倒になると共にコストが上昇してしまうという問題点が生じる。
【０００５】
本発明は上記の点に鑑みてなされたものであり、簡単な構造で、かつ外力印加による損傷防止を図りうるドアパネル取り付け構造及び電子機器を提供することを目的とする。
【課題を解決するための手段】
【０００６】
上記の課題を解決するために本発明では、次に述べる各手段を講じたことを特徴とするものである。
【０００７】
請求項１記載の発明は、
機器本体に形成された開口部にドアパネルを取り付けるドアパネル取り付け構造において、
前記機器本体に、前記ドアパネルの挿入方向と直交する方向に開口する穴部を設け、
前記ドアパネルに、該ドアパネルの挿入時において前記機器本体と係合する角部と、該角部の形成位置から偏倚した位置から前記ドアパネルの挿入時における挿入方向に向け延出するよう形成されると共に前記角部と前記機器本体との係合位置を回動中心として前記ドアパネルを前記機器本体に対して回動することにより前記穴部内に進入して該機器本体と着脱可能に係合する係合爪部と、前記ドアパネルを前記機器本体に対して回動する際に前記機器本体と係合して前記回動をガイドする湾曲部とよりなる取り付け部を設け、
前記取り付け部を前記ドアパネルの縁部の両側部に設けると共に、前記ドアパネルの他の縁部に前記機器本体に係合する係合部を設け、
前記穴部を、前記機器本体の垂直壁部の端部である垂直壁端部と水平壁端部の端部である水平壁端部との間に形成し、
前記ドアパネルの前記角部と前記垂直壁端部とを係合させ、前記ドアパネルが該係合位置を中心として回動することにより、前記係合部が前記機器本体と係合すると共に前記係合爪部の延出方向と前記穴部の開口方向が一致し、前記係合爪部が前記垂直壁端部及び前記水平壁端部と係合する構成としたことを特徴とするものである。
【０００８】
上記発明によれば、ドアパネルは第２の係合部がドアパネルの穴部に着脱可能係合することにより、ドアパネルに取り付けられる。この際、第２の係合部はドアパネルの穴部に着脱可能係合しているため、強い外力がドアパネルに印加された場合、第２の係合部はドアパネルの穴部から離脱することが可能となる。これにより、従来のように強い外力印加時に、機器本体或いはドアパネルが破損することを防止でき、取り付け構造の信頼性を高めることができる。
【００１３】
また、請求項２記載の発明に係る電子機器は、
請求項１記載のドアパネル取り付け構造を備えたことを特徴とするものである。
【００１４】
上記発明によれば、ドアパネルの中央位置が第３の係合部により機器本体と係合するため、ドアパネルは両側部が取り付け部により機器本体に保持され、中央部が第３の係合部により機器本体に保持されるため、ドアパネルに反りが発生するのを防止することができる。
【発明の効果】
【００１５】
本発明によれば、ドアパネルの機器本体への取り付け構造の簡単化を図れると共に、強い外力の印加時に機器本体或いはドアパネルが破損することを防止できる。
【発明を実施するための最良の形態】
【００１６】
次に、本発明を実施するための最良の形態について図面と共に説明する。
【００１７】
図１は、本発明の一実施例であるドアパネル取り付け構造を適用した電子機器１０の正面を示している。電子機器１０は例えばチューナ装置であり、機器本体１１のフロントパネル１３に表示部１４及びダイヤル１５，スイッチ１６等を設けた構成とされている。
【００１８】
表示部１４は液晶表示装置で、電子機器１０の操作に必要な各種情報が表示される。ダイヤル１５は選局用ダイヤルであり、回動させることにより選局するダイヤルである。また、スイッチ１６はモードの選択スイッチであり、押圧操作することにより選択的にモード切り換えが行える構成となっている。
【００１９】
また、フロントパネル１３の図１における下部左側には、開口部１７が形成されている。図３は、機器本体１１を図１におけるＡ−Ａ線に沿って切断した断面であり、よって開口部１７の断面を示している。同図に示すように、開口部１７はフロントパネル１３の表面から一段窪んだ構成とされている。
【００２０】
通常使用しないスイッチや記録メディアが挿入脱されるスロット部等は、この開口部１７内に配設することが行われている。また、この開口部１７にはドアパネル１２が装着され、上記のスイッチやスロット部の不使用時においては、ドアパネル１２により開口部１７を覆い、外部から開口部１７の内部が見えないようにしている。
【００２１】
本実施例に係るドアパネル取り付け構造は、このドアパネル１２を開口部１７に取り付けるときに適用されるものである。以下、ドアパネル１２を開口部１７に取り付けるドアパネル取り付け構造について説明する。
【００２２】
開口部１７の上部両側位置には、矩形状の穴部２０が形成されている。この穴部２０は、図３（Ａ）に示されるように、フロントパネル１３を構成する垂直壁部２２の下端部（Ｚ２方向端部）である垂直壁端部２３と、開口部１７を構成する水平壁部２４の図中矢印Ｙ２方向端部である水平壁端部２５との間に形成されている。
【００２３】
この穴部２０は、ドアパネル１２を開口部１７に装着するとき、ドアパネル１２を開口部１７に挿入する方向（図中矢印Ｙ１方向）と異なる方向に開口するよう構成されている。具体的には、本実施例では穴部２０はドアパネル１２の挿入方向（Ｙ１方向）に対して直交する、図中矢印Ｚ１方向に開口した構成とされている。また、穴部２０の下部位置には、略１／４円形状を有したガイド部２６が形成されている。尚、このガイド部２６は、必ずしも設ける必要がないものである。
【００２４】
一方、開口部１７の下部中央位置には、第１のロック用爪部２１が形成されている。この第１のロック用爪部２１は、矢印Ｙ２方向に延出しており、後述するようにドアパネル１２が開口部１７に装着した状態において、ドアパネル１２に形成されている第２のロック用爪部３７と係合する構成とされている。
【００２５】
次に、上記構成とされた開口部１７に装着されるドアパネル１２について、図１，図３に加えて図２を参照して説明する。ドアパネル１２は樹脂成形されたものであり、パネル本体３０の上縁部３１の両側部に取り付け部３３を設けた構成とされている。
【００２６】
パネル本体３０は、図２（Ｄ），（Ｅ）及び図３（Ａ）に示すように、側面視で略く字状に曲がった形状を有している。また、パネル本体３０の下縁部３２の中央位置には、第２のロック用爪部３７及び指掛け部３８が形成されている。
【００２７】
第２のロック用爪部３７は、図中矢印Ｙ２方向に延出するよう形成されている。この第２のロック用爪部３７は、開口部１７に装着されたドアパネル１２が離脱しないようにロックを行う機能を奏するものである。また、指掛け部３８は、開口部１７に装着されたドアパネル１２を機器本体１１から取り外すときに、指を引掛けて取り外しを容易とするために設けられている。
【００２８】
次に、取り付け部３３について説明する。取り付け部３３は、角部３４（請求項に記載の第１の係合部に相当する）と、係合爪部３５（請求項に記載の第２の係合部に相当する）とを設けた構成とされている。この取り付け部３３は、ドアパネル１２の樹脂成形時に一括的に形成することが可能であり、容易に形成することができる。
【００２９】
角部３４は上縁部３１の一部として形成されており、側面視で略直角形状を有している。また、係合爪部３５は、角部３４の形成位置から若干内側（図２（Ｅ）における右側）に偏倚した位置から上方に向け延出するよう形成されている。ここで、係合爪部３５の延出方向は、ドアパネル１２を開口部１７に挿入する方向と同一方向（矢印Ｙ１方向）と一致するよう構成されている。
【００３０】
即ち、後述するように、ドアパネル１２を機器本体１１に装着するとき、先ずドアパネル１２を開口部１７に挿入操作するが、係合爪部３５の延出方向は、このドアパネル１２を開口部１７に挿入する方向と同じ方向となるよう設定されている。
【００３１】
また、係合爪部３５は後述するように、開口部１７に形成された穴部２０内に進入して機器本体１１と係合する。この穴部２０内への進入を容易に行うため、取り付け部３３の先端部は湾曲形状（Ｒを有した形状）とされている。また、係合爪部３５の側部には、湾曲部３６が形成されている。この湾曲部３６の形状は、前記した開口部１７に形成されたガイド部２６と対応する形状とされている。
【００３２】
続いて、図３を主に参照して、上記構成を有するドアパネル取り付け構造における、ドアパネル１２を機器本体１１に取り付ける具体的な操作について説明する。
【００３３】
ドアパネル１２を機器本体１１に取り付けるには、先ず機器本体１１に対してドアパネル１２を位置決めする。この際、図３（Ａ）に示すように、ドアパネル１２の取り付け部３３と、開口部１７の穴部２０の形成位置とが略対向するように位置決めを行う。
【００３４】
続いて、ドアパネル１２を機器本体１１に向け水平方向（図中、矢印Ｙ１方向）に移動させ、取り付け部３３を開口部１７内に挿入する。この際、係合爪部３５の延出方向と、ドアパネル１２を機器本体１１（開口部１７）に挿入する挿入方向が一致するようにする。
【００３５】
取り付け部３３を構成する角部３４が、垂直壁部２２の垂直壁端部２３と対峙する位置まで挿入が行われると、図３（Ｂ）に示されるように、ドアパネル１２を反時計方向に回動する。この際、角部３４は垂直壁端部２３と係合し、ドアパネル１２は角部３４と垂直壁端部２３との係合位置を回動中心として回動する。
【００３６】
尚、本実施例では、開口部１７にガイド部２６が形成されており、取り付け部３３にはガイド部２６と対応する形状の湾曲部３６が形成されている。このため、ガイド部２６内を湾曲部３６が摺動することにより、ドアパネル１２の回動はガイド部２６に案内されて行われる。これにより、ドアパネル１２の回動を安定して行わせることができる。
【００３７】
上記のようにドアパネル１２が機器本体１１に対して回動することにより、取り付け部３３を構成する係合爪部３５は穴部２０内に進入してゆく。前記したように、穴部２０は上方（矢印Ｚ１方向）に向け開口している。換言すると、穴部２０はドアパネル１２が開口部１７に挿入される方向（Ｙ１方向）に対して直交する方向に開口された構成とされている。
【００３８】
よって、ドアパネル１２を開口部１７に挿入しただけでは、係合爪部３５は穴部２０内に進入しない。しかしながら、ドアパネル１２を回動することにより係合爪部３５は機器本体１１と係合する。具体的には、ドアパネル１２を回動することにより、係合爪部３５は垂直壁端部２３及び水平壁端部２５と係合する。
【００３９】
更に、ドアパネル１２を回動すると、図３（Ｃ）に示すように、係合爪部３５の延出方向が穴部２０の開口方向と一致すると共に、ドアパネル１２に形成されている第２のロック用爪部３７が開口部１７に設けられた第１のロック用爪部２１と係合する。この係合状態において、係合爪部３５は穴部２０内に完全に進入しており機器本体１１と係合した構成となっている。また、パネル本体３０の上縁部３１は、垂直壁部２２の垂直壁端部２３と対向した状態となっている。
【００４０】
このように、ドアパネル１２が機器本体１１に取り付けられた状態では、ドアパネル１２はパネル本体３０の上縁部３１の両側が取り付け部３３により機器本体１１に係合され、パネル本体３０の下縁部３２の中央部は第１及び第２のロック用爪部２１，３７により機器本体１１に係合（ロック）されている。
【００４１】
このように、ドアパネル１２の上縁部３１及び下縁部３２の双方が機器本体１１に係合されているため、ドアパネル１２を機器本体１１（開口部１７）に確実に取り付けることができ、容易に離脱するようなことはない。よって、開口部１７に穴部２０を形成し、ドアパネル１２に取り付け部３３を形成した簡単な構成でありながら、高い信頼性を持ってドアパネル１２を機器本体１１に取り付けることができる。
【００４２】
また、本実施例では、ドアパネル１２が機器本体１１に装着された状態で、パネル本体３０の下縁部３２の中央部は第２のロック用爪３７により機器本体１１に係合する。パネル本体３０は左右方向（Ｘ１，Ｘ２方向）に長い形状であるため、取り付け時において中央部分に反りが発生しやすい。しかしながら、この反りが発生し易い位置に第２のロック用爪３７を設け、この第２のロック用爪３７を第１のロック用爪２１に係合させる構成としたことにより、パネル本体３０の中央部分における剛性を高めることができ、ドアパネル１２に反りが発生するのを防止することができる。
【００４３】
ところで、図３（Ｃ）に示すように、ドアパネル１２が機器本体１１に装着された状態において、図中矢印Ｆで示すような強い外力Ｆが印加させた場合を想定する。ここで、「強い外力」とは使用者による不意な力等をいい、またドアパネル１２を機器本体１１から取り外す際に操作者が指掛け部３８を用いてドアパネル１２に印加する通常の力よりも大きい力をいうものとする。
【００４４】
本実施例に係るドアパネル取り付け構造では、上記のようにドアパネル１２の上縁部３１においては係合爪部３５が機器本体１１の穴部２０と係合することにより、また下縁部３２においては第１のロック用爪部２１と第２のロック用爪部３７とが係合することにより、ドアパネル１２は機器本体１１に取り付けられる構造となっている。
【００４５】
このような、爪部３５，２１，３７を用いた係合では、強い外力が印加された場合には爪部３５，２１，３７が弾性変形することにより係合が解除される。即ち、本実施例に係るドアパネル取り付け構造は、強い外力がドアパネル１２に印加された場合、爪部３５，２１，３７による係合の全て或いは一部が解除され、これによりドアパネル１２は機器本体１１から離脱する。
【００４６】
この離脱時においては各爪部３５，２１，３７は弾性変形するが、ドアパネル１２が機器本体１１から離脱することにより（外力の印加が解除されることにより）、元の状態に弾性復元する。このため、ドアパネル１２が機器本体１１から離脱するとき、爪部３５，２１，３７或いは穴部２０等に損傷が発生するようなことはない。
【００４７】
また、パネル本体３０は略く字形状に折曲した形状であり、外力が印加されたときに弾性変形し易い形状である。よって、これによっても、外力印加時において、爪部３５，２１，３７の係合を円滑に解除させることができる。これによっても、外力印加時に爪部３５，２１，３７及び開口部２０に損傷が発生するのを抑制している。
【００４８】
本実施例では、上記のようにドアパネル１２に対して不意な外力が印加されても、機器本体１１或いはドアパネル１２が破損することを確実に防止できる。よって、本実施例に係るドアパネル取り付け構造によれば、ドアパネル１２の機器本体１１に対する取り付け信頼性を高めることができる。また、本発明に係るドアパネルの取り付け構造は、上記したように構造が簡単であるため、低コスト化を図ることができる。
【図面の簡単な説明】
【００４９】
【図１】図１は、本発明の一実施例であるドアパネル取り付け構造を適用した電子機器を示す正面図である。
【図２】図２は、ドアパネルを説明するための図であり、（Ａ）は平面図、（Ｂ）は正面図、（Ｃ）は底面図、（Ｄ）は右側面図、（Ｅ）は（Ｂ）におけるＢ−Ｂ線に沿う断面図である。
【図３】図３は、機器本体（図１におけるＡ−Ａ線に沿う断面で示す）に対してドアパネルを装着する動作を説明する図である。
【符号の説明】
【００５０】
１０  電子機器
１１  機器本体
１２  ドアパネル
１３  フロントパネル
１７  開口部
２０  穴部
２１  第１のロック用爪部
２２  垂直壁部
２３  垂直壁端部
２４  水平壁部
２５  水平壁端部
３０  パネル本体
３０ａ  折曲部
３１  上縁部
３２  下縁部
３３  取り付け部
３４  角部
３５  係合爪部
３６  湾曲部
３７  第２のロック用爪部
【図１】
0004848156.tif 000002
【図２】
0004848156.tif 000003
【図３】
0004848156.tif 000004